(57)【特許請求の範囲】
【請求項１】
襟腰部の外側に装着される襟腰保形部材であって、
該襟腰保形部材は、ワイヤーにより構成されており、Ｕ字上部の開口部が窄まり、該ワイヤーはＵ字上部の両端とＵ字下部との間で複数回矩形状に折り返されていることを特徴とする襟腰保形部材。
【請求項２】
前記折り返した部分が矩形輪郭部を構成していることを特徴とする請求項１に記載の襟腰保形部材。
【請求項３】
襟腰部の外側に装着される襟腰保形部材であって、
襟腰保形部材が、Ｕ字下部に配置される長方形状の長さ調整部材と、Ｕ字下部を除く部分を構成する一対のワイヤ部材とからなり、該長さ調整部材には、上下の長手辺に沿ってワイヤ部材の取り付けができるようにワイヤー挿通穴が形成されており、両ワイヤ部材は、湾曲した長手のコ字形またはＵ字形状に形成され、コ字形の両先端がワイヤー挿通穴に挿通され、該ワイヤー挿通穴への挿通深さが調整可能であることを特徴とする襟腰保形部材。
【請求項４】
襟腰部の外側に装着される襟腰保形部材であって、
襟腰保形部材が、素片を連結し、多数の素片が、Ｕ字上部の開口部が窄まった板状輪郭を有するように構成され、全て又は一部の素片が結合・分離可能で、長さ及び形状が調整可能であり、該襟腰保形部材は、全体で弾性を有するとともに可撓性を有し、変形に対して復帰可能であることを特徴とする襟腰保形部材。
【請求項５】
襟腰部の外側に装着される襟腰保形部材であって、
襟腰保形部材が、紙またはプラスチックにより全体を構成したもので、表面が波状に形成された板状体からなり、全体がＵ字上部の開口部が窄まって構成されて、該Ｕ字上部を切断することで長さ調整を行なうことができることを特徴とする襟腰保形部材。
【発明の詳細な説明】
【技術分野】
【０００１】
本発明は、第１ボタンさらには第２ボタンを外したときのカッターシャツやブラウスの襟元の締まりを向上させ、かつカッターシャツやブラウスの第１ボタンさらには第２ボタンを外しても胸元が開きすぎないように襟腰を保持できる襟腰保形部材、タートルネックの襟の保形が可能な襟腰保形部材、およびアクセサリーとしても機能する上記襟腰保形部材に関する。
【背景技術】
【０００２】
近年、省エネ対策等として、男性について、いわゆる「ノーネクタイ」を推奨している企業、公共団体等が増えている。
開襟（オープンカラー）シャツや、いわゆるポロシャツは、もともとネクタイを装着しないことを前提とした襟構造を有しており、「ノーネクタイ」が推奨される職場において好適に着用される。
【発明の開示】
【発明が解決しようとする課題】
【０００３】
男性の場合、勤務先等においてやむを得ず、ネクタイをしなければならない事態（たとえば、接客、顧客先への外出等）が生じることも予想されるため、「ノーネクタイ」が推奨される職場では、カッターシャツ（ワイシャツ、ドレスシャツ）を着用することが多い。しかし、カッターシャツの着用に際しては、男性の場合、第１ボタンを外すことが多いが、この場合、襟元の締まりが悪くなると言った問題がある。
【０００４】
女性の場合には、第１，第２ボタンを外して襟付きのブラウスを着用することがある。この場合、ブラウスの襟腰が弱い場合（襟腰の保形機能が弱い場合）には、胸元が開きすぎてしまうという問題がある。また、ブラウスによっては、第１ボタンがのど元よりもかなり下側に取り付けられているものもあるが、この場合には、第１ボタンを外しただけで、胸元が開きすぎてしまうという問題がある。
【０００５】
一方、タートルネックのセータ（特に、純毛のもの）等は、着用するにつれて購入時におけるネックの形状が崩れることが多々ある。具体的には、タートルネックのセータでは、ネックの上端は購入時には引き締まっているが、使用につれて広がってしまうという問題がある。
【０００６】
本発明は、第１ボタンまたはさらには第２ボタンを外したときのカッターシャツやブラウスの襟元の締まりを向上させ、かつカッターシャツやブラウスの第１ボタンさらには第２ボタンを外しても胸元が開きすぎないように襟腰を保持できる襟腰保形部材、タートルネックの襟の保形が可能な襟腰保形部材、およびアクセサリーとしても機能する上記襟腰保形部材を提供することを目的とする。
【課題を解決するための手段】
【０００７】
本発明の襟腰保形部材は、カッターシャツ，ブラウス等の襟腰部の外側に装着されるものであって、Ｕ字上部の開口部が窄まって形成された保形性材質からなることを特徴とする。カッターシャツ，ブラウス等に、本発明の襟腰保形部材を使用することで、たとえば、第１ボタン、第２ボタンを外したとしても、襟元の締まりが悪くなることはないし、胸元が開きすぎてしまうという問題も生じない。
【０００８】
また、本発明の襟腰保形部材は、タートルネックの襟腰部と折り返し部との間に介在させて装着されるものであって、Ｕ字上部の開口部が窄まって形成された保形性材質からなることを特徴とする。タートルネックのセータ（特に、純毛のもの）等は、着用するにつれて購入時におけるネックの形状が崩れることが多いが、本発明の襟腰保形部材を用いることで、着用に際してネックの上端が広がってしまうという問題は生じない。
本発明の襟腰保形部材は、装飾的外観、質感、色彩等を備えたものとすることが好ましい。
【０００９】
本発明の襟腰保形部材では、Ｕ字上部の開度を、保形部材を構成する材料の可撓性により変更できる。
本発明の襟腰保形部材は、合成樹脂、金属、紙、または合成樹脂被覆金属により構成することができる。
【００１０】
本発明の襟腰保形部材では、（１）線状体を加工して全部または一部が板状輪郭を有するように構成すること、（２）長さ調整部材の両側に取り付けられた一対の線状体により構成すること、（３）全部または一部を相互連結構造を持つ素片により構成することができる。
本発明の襟腰保形部材では、長さ調整部材の両側に取り付けられた一対の線状体により構成することができる。この場合、前記一対の線状体が板状体側に収容されて全体が当該線状体の前記板状体からの突出長さを短くしまたは長くすることができる。
【００１１】
本発明の襟腰保形部材では、全体を複数部材に分離できるように構成してもよい。また、Ｕ字下部中央が折れ曲り可能に構成してもよい。
【発明の効果】
【００１２】
本発明によれば、第１ボタンや第２ボタンを外したときのカッターシャツやブラウスの襟元の締まりを向上させ、かつカッターシャツやブラウスの第１ボタンおよび第２ボタンを外しても胸元が開きすぎないように襟腰を保持できる。また、本発明によれば、タートルネックの保形もできる。さらに、アクセサリー効果を奏することもできる。
【発明を実施するための最良の形態】
【００１３】
図１（Ａ），（Ｂ）は本発明の襟腰保形部材の第１及び２実施形態を示す説明図である。
図１（Ａ），（Ｂ）において、（ｉ）は襟腰保形部材１Ｂの正面図、（ｉｉ）は襟腰保形部材１Ｂの平面図である。
【００１４】
襟腰保形部材１ＢはワイヤーＷにより構成されており、Ｕ字上部の開口部（襟元開口部）１１が窄まって形成されている。襟腰保形部材１Ｂは、ワイヤーＷで構成されていることから、弾性を有するとともに可撓性をも有しており、変形に対して復帰することもできるし、強制的に変形させることも可能である。襟腰保形部材１Ｂは、ワイヤーＷは、Ｕ字上部の両端とＵ字下部との間で複数回矩形状に折り返されている。この折り返した部分が矩形輪郭部ｐを構成している。矩形輪郭部ｐにより、襟腰保形部材１Ｂは、襟腰と襟羽根との間から脱落することはない。
図１（Ａ）では、襟腰保形部材１Ｂの襟元開口部１１が比較的狭い場合を、図１（Ｂ）では襟腰保形部材１Ｂの襟元開口部１１が比較的広い場合を示している。
【００１５】
図２（Ａ），（Ｂ），（Ｃ）は本発明の襟腰保形部材の第３実施形態を示す説明図である。
図２（Ａ），（Ｂ）において、（ｉ）は襟腰保形部材１Ｄの正面図、（ｉｉ）は襟腰保形部材１Ｄの平面図である。図２（Ｃ）は後述する長さ調整部材を示す図である。
襟腰保形部材１Ｄは、Ｕ字下部に配置される長方形状の長さ調整部材３と、Ｕ字下部を除く部分を構成する一対のワイヤ部材Ｘとからなる。
【００１６】
長さ調整部材３には、上下の長手辺に沿ってワイヤ部材Ｘの取り付けができるようにワイヤー挿通穴Ｈが形成されている。両ワイヤ部材Ｘは、湾曲した長手のコ字形またはＵ字形状（図ではコ字形状）に形成され、コ字形の両先端がワイヤー挿通穴Ｈに挿通される。
襟腰保形部材１Ｄでは、ワイヤ部材Ｘの長さ調整部材３のワイヤー挿通穴への挿通深さを調整することで、全体形状を調整することができる。図２（Ａ）では襟腰保形部材１Ｄの襟元開口部１１が比較的狭い場合を、図２（Ｂ）では襟腰保形部材１Ｄの襟元開口部１１が比較的広い場合を示している。
さらに、図２（Ａ），（Ｂ），（Ｃ）の形態においては、図示は種略するが、両ワイヤ部材Ｘ，Ｘ間に、ネットを張設したり、図１（Ａ），（Ｂ）に示すようなワイヤＷを複数回矩形状、三角形状、山形形状等に折り返したものを取り付けたり、ワイヤ部部材Ｘ，Ｘと平行にワイヤを１本または複数本取り付けることもできる。このようにすることで、襟腰保形部材の１Ｄの脱落が防止できる他、古くなりいわゆるコシがなくなってしまったシャツやブラウスあるいはタートルネックであっても、両ワイヤ部材Ｘ，Ｘ間からはみ出すことを防止できる等の効果を得ることもできる。
【００１７】
図３（Ａ），（Ｂ）は本発明の襟腰保形部材の第４実施形態を示す説明図である。図３（Ａ）は襟腰保形部材１Ｅの正面図（やや上から見た図）、（Ｂ）は襟腰保形部材１Ｅをブラウスに適用したときの使用形態を示す図である。
襟腰保形部材１Ｅは、アクセサリーとしても使用されるもので、Ｕ字上部の開口部（襟元開口部）１１が窄まって形成されている。
【００１８】
襟腰保形部材１Ｅは、図３（Ｂ）に示すようにブラウス９３の立て襟９４に適用した場合には、襟腰の補強を行なうことができるとともにアクセサリーとしても機能する。
襟腰保形部材１Ｅでは、全ての素片Ｔを一体に構成することもできる。また、襟腰保形部材１Ｅでは、全ての素片Ｔを結合・分離可能に構成することで、長さや形状調整ができるようにしてもよいし、一部（たとえば、Ｕ字上部）の素片Ｔのみを結合・分離可能に構成して長さや形状調整ができるようにしてもよい。
襟腰保形部材１Ｅは、全体で弾性を有するとともに可撓性をも有しており、変形に対して復帰することができるし湾曲率を変える等、変形させることも可能である。
【００１９】
図４（Ａ），（Ｂ），（Ｃ），（Ｄ）は、素片Ｔの例を示す図であり、それぞれ（ｉ）は平面図、（ｉｉ）は（ｉ）におけるα方向の側面図である。
（Ａ）の素片Ｔは突起ａと溝ｂとを有し、（Ｂ）の素片Ｔは一対の突起ａを有し、（Ｃ）の素片Ｔは一対の溝ｂを有し、（Ｄ）の素片Ｔは１つの突起ａと３つの溝ｂとを有している。素片Ｔの突起ａと他の素片Ｔの溝ｂとは嵌合することができ、これらを接続することで襟腰保形部材１Ｅを構成することができる。図４（Ｅ）（ｉ）は素片Ｔの突起ａ側から見た側面図、図４（Ｅ）（ｉｉ）は素片Ｔの溝ｂ側から見た側面図である。なお、素片Ｔは図４（Ａ）〜（Ｅ）に示した構成には限定されず、種々の素片結合構造をとることができる。
【００２０】
図５（Ａ），（Ｂ）は本発明の襟腰保形部材の第６，第７実施形態を示す説明図である。図５（Ａ），（Ｂ）では、襟腰保形部材１Ｆ，１Ｇがタートルネックセータ９５の襟部９６に装着された状態をそれぞれ示している。
図５（Ａ）の襟腰保形部材１Ｆは、図４に示した素片Ｔを連結し、多数の素片Ｔが、Ｕ字上部の開口部が窄まった板状輪郭を有するように構成されている。
襟腰保形部材１Ｆは、全ての素片Ｔを一体に構成することもできる。また、襟腰保形部材１Ｆは、全ての素片Ｔを結合・分離可能に構成することで、長さや形状調整ができるようにしてもよいし、一部（たとえば、Ｕ字上部）の素片Ｔのみを結合・分離可能に構成して長さや形状調整ができるようにしてもよい。
【００２１】
襟腰保形部材１Ｆは、全体で弾性を有するとともに可撓性をも有しており、変形に対して復帰することができるし湾曲率を変える等、変形させることも可能である。
【００２２】
図５（Ｂ）の襟腰保形部材１Ｇは、紙またはプラスチックにより全体を構成したもので、表面が波状に形成された板状体からなり、全体がＵ字上部の開口部が窄まって構成されている。襟腰保形部材１Ｇは、Ｕ字上部を切断することで長さ調整を行なうことができる。
【００２３】
本発明の襟腰保形部材には磁気発生機能を持たせることができる。すなわち、本発明の襟腰保形部材を磁気を帯びた磁性体により構成することで、または、本発明の襟腰保形部材を磁気流体を混練させた合成樹脂により構成することで、襟腰保形部材に健康器具としての作用を奏させることができる。さらに、襟腰保形部材に永久磁石を取り付けることができる。
図６（Ｂ）は、図４（Ａ）から（Ｅ）に示した素片Ｔに永久磁石ＰＭが取り付けられた例を示している。さらに、図６（Ｃ）は図５（Ｂ）に示した襟腰保形部材１Ｇの板状部分に形成される空隙に棒磁石ＳＭを挿着した例を示している。
【産業上の利用可能性】
【００２４】
本発明の襟腰保形部材は、ワイヤー、合成樹脂、金属、紙等の何れも使用することができ、また、アクセサリー効果も奏することができる。
【図面の簡単な説明】
【００２５】
【図１】本発明の襟腰保形部材の第１、２実施形態を示す説明図であり、（Ａ）は襟腰保形部材の襟元開口部が比較的狭い場合を、（Ｂ）は襟腰保形部材の襟元開口部が比較的広い場合を示す図であり、（Ａ），（Ｂ）において、（ｉ）は襟腰保形部材の正面図、（ｉｉ）は襟腰保形部材の平面図である。
【図２】本発明の襟腰保形部材の第３実施形態を示す説明図であり、（Ａ）は襟腰保形部材の襟元開口部が比較的狭い場合を、（Ｂ）は襟腰保形部材の襟元開口部が比較的広い場合を示す図であり、（Ａ），（Ｂ）において、（ｉ）は襟腰保形部材の正面図、（ｉｉ）は襟腰保形部材の平面図であり、（Ｃ）は長さ調整部材Ｈの拡大図である。
【図３】本発明の襟腰保形部材の第５実施形態を示す説明図であり、（Ａ）は襟腰保形部材の正面図、（Ｂ）は襟腰保形部材の使用形態を示す図である。
【図４】（Ａ），（Ｂ），（Ｃ），（Ｄ）は、素片Ｔの例を示す図であり、それぞれ（ｉ）は平面図，（ｉｉ）は（ｉ）におけるα方向の側面図、（Ｅ）（ｉ）は素片Ｔの突起ａ側から見た側面図、（Ｅ）（ｉｉ）は素片Ｔの溝ｂ側から見た側面図である。
【図５】本発明の襟腰保形部材の第４，第５実施形態を示す説明図であり、（Ａ），（Ｂ）は、襟腰保形部材がタートルネックセータの襟部に装着された状態を示す図である。
【符号の説明】
【００２６】
１Ｂ、１Ｄ〜１Ｆ襟腰保形部材
３ 長さ調整部材
１１ 襟元開口部
９３ ブラウス
９４ 立て襟
９５ タートルネックセータ
９６ タートルネックセータの襟部
【図１】
0004376570.tif 000002
【図２】
0004376570.tif 000003
【図３】
0004376570.tif 000004
【図４】
0004376570.tif 000005
【図５】
0004376570.tif 000006
【図６】
0004376570.tif 000007